(57)【要約】【課題】比較的小さな画面におけるコンテンツのスクロールを改良する【解決手段】１つのアプリケーションウィンドウにおいて論理的に区別しうる第１及び第２のスクロールバーを提供する。第１及び第２のスクロールバーは、それぞれアプリケーションウィンドウコンテンツの同じ方向に関してスクロール機能を提供する。アプリケーションウィンドウコンテンツが、それぞれ少なくとも一部は目視可能な第１及び第２のコンテンツを有するとき、第１のスクロールバーは、少なくとも第１及び第２のコンテンツを制御し、第２のスクロールバーは、第２のコンテンツを制御することなしに、第１のコンテンツを制御する。第１及び第２のスクロールバーは、１本の目視可能なスクロールバー内に設けられる、それぞれ個別のエレベータを有する。【選択図】図３
2010231810.tif 000002
【特許請求の範囲】
【請求項１】
メモリと、
前記メモリに格納されたソフトウェアに従って前記装置の動作を制御する処理装置と、
コンテンツを表示するための画面と、
を備え、
前記メモリは、前記画面上のアプリケーションウィンドウ内のアプリケーションウィンドウコンテンツをスクロールするように構成されたソフトウェアアプリケーションを備え、前記アプリケーションウィンドウコンテンツは、それぞれ少なくとも一部は目視可能な第１及び第２のコンテンツを有し、前記ソフトウェアアプリケーションは、
１つのアプリケーションウィンドウにおいて論理的に区別しうる第１及び第２のスクロールバーを少なくとも備え、前記第１及び第２のスクロールバーは、それぞれ前記アプリケーションウィンドウコンテンツの同じ方向に関してスクロール機能を提供し、
前記第１のスクロールバーは、少なくとも前記第１及び第２のコンテンツを制御し、前記第２のスクロールバーは、前記第２のコンテンツを制御することなしに、前記第１のコンテンツを制御し、
前記第１及び第２のスクロールバーは、１本の目視可能なスクロールバー内に設けられると共に、前記目視可能なスクロールバー内でそれぞれ個別のエレベータを有する、
ように構成される、装置。
【請求項２】
特定のアクションが前記目視可能なスクロールバーの動作モードを制御するために使用され、１つの動作モードは前記第１のスクロールバーの機能性を提供し、別のモードは前記第２のスクロールバーの機能性を提供する、請求項１に記載の装置。
【請求項３】
前記特定のアクションは、ボタンを押すこと、キーパッド上のキーを押下すること、マウスでクリックすること、マウスでクリックしたままホールドすること、のうちの１つである、請求項２に記載の装置。
【請求項４】
前記第１のスクロールバーは前記アプリケーションウィンドウコンテンツ全体を制御するように構成される、
請求項１から３のいずれか１項に記載の装置。
【請求項５】
前記第１のコンテンツは、前記アプリケーションウィンドウコンテンツにおいて現在目視可能であるかアクティブであるかのいずれか又は両方に、少なくとも部分的には基づいて定められる、請求項４に記載の装置。
【請求項６】
前記第１のコンテンツは、１つ以上の段落、章、ページ、または節に、少なくとも部分的には基づいて定められる、請求項１から５のいずれか１項に記載の装置。
【請求項７】
前記アプリケーションウィンドウコンテンツはＷＷＷページに関する、請求項１に記載の装置。
【請求項８】
携帯端末、ハンドヘルドコンピュータ、スマートフォン、ラップトップコンピュータ、またはデスクトップコンピュータである、請求項１から７のいずれか１項に記載の装置。
【請求項９】
画面上のアプリケーションウィンドウ内のアプリケーションウィンドウコンテンツをスクロールするように構成されたソフトウェアアプリケーションを格納するコンピュータ読み取り可能な記憶媒体であって、前記アプリケーションウィンドウコンテンツは、それぞれ少なくとも一部は目視可能な第１及び第２のコンテンツを有し、前記ソフトウェアアプリケーションは、
１つのアプリケーションウィンドウにおいて論理的に区別しうる第１及び第２のスクロールバーを少なくとも備え、前記第１及び第２のスクロールバーは、それぞれ前記アプリケーションウィンドウコンテンツの同じ方向に関してスクロール機能を提供し、
前記第１のスクロールバーは、少なくとも前記第１及び第２のコンテンツを制御し、前記第２のスクロールバーは、前記第２のコンテンツを制御することなしに、前記第１のコンテンツを制御し、
前記第１及び第２のスクロールバーは、１本の目視可能なスクロールバー内に設けられると共に、前記目視可能なスクロールバー内でそれぞれ個別のエレベータを有する、
ように構成される、コンピュータ読み取り可能な記憶媒体。
【請求項１０】
特定のアクションが前記目視可能なスクロールバーの動作モードを制御するために使用され、１つの動作モードは前記第１のスクロールバーの機能性を提供し、前記第２のスクロールバーの機能性を提供する、請求項９に記載のコンピュータ読み取り可能な記憶媒体。
【請求項１１】
前記特定のアクションは、ボタンを押すこと、キーパッド上のキーを押下すること、マウスでクリックすること、マウスでクリックしたままホールドすること、のうちの１つである、請求項１０に記載のコンピュータ読み取り可能な記憶媒体。
【請求項１２】
前記第１のスクロールバーは前記アプリケーションウィンドウコンテンツ全体を制御するように構成される、請求項９から１１のいずれか１項に記載のコンピュータ読み取り可能な記憶媒体。
【請求項１３】
前記第１のコンテンツは、１つ以上の段落、章、ページ、または節に、少なくとも部分的には基づいて定められる、請求項１２に記載のコンピュータ読み取り可能な記憶媒体。
【請求項１４】
前記第１のコンテンツは、１つ以上の段落、章、ページ、または節に、少なくとも部分的には基づいて定められる、請求項９から１３のいずれか１項に記載のコンピュータ読み取り可能な記憶媒体。
【請求項１５】
前記アプリケーションウィンドウコンテンツはＷＷＷページに関する、請求項９に記載のコンピュータ読み取り可能な記憶媒体。
【請求項１６】
１つのアプリケーションウィンドウにおいて論理的に区別しうる第１及び第２のスクロールバーを提供する方法であって、
前記第１及び第２のスクロールバーは、それぞれアプリケーションウィンドウコンテンツの同じ方向に関してスクロール機能を提供し、前記アプリケーションウィンドウコンテンツは、前記アプリケーションウィンドウにおいて、それぞれ少なくとも一部は目視可能な第１及び第２のコンテンツを有し、
前記第１のスクロールバーは、少なくとも前記第１及び第２のコンテンツを制御し、前記第２のスクロールバーは、前記第２のコンテンツを制御することなしに、前記第１のコンテンツを制御し、
前記第１及び第２のスクロールバーは、１本の目視可能なスクロールバー内に設けられると共に、前記目視可能なスクロールバー内でそれぞれ個別のエレベータを有する、
方法。
【請求項１７】
特定のアクションが前記目視可能なスクロールバーの動作モードを制御するために使用され、１つの動作モードは前記第１のスクロールバーの機能性を提供し、前記第２のスクロールバーの機能性を提供する、請求項１６に記載の方法。
【請求項１８】
前記特定のアクションは、ボタンを押すこと、キーパッド上のキーを押下すること、マウスでクリックすること、マウスでクリックしたままホールドすること、のうちの１つである、請求項１７に記載の方法。
【請求項１９】
前記第１のコンテンツは、前記アプリケーションウィンドウコンテンツにおいて現在目視可能であるかアクティブであるかのいずれか又は両方に、少なくとも部分的には基づいて定められる、請求項１６に記載の方法。
【請求項２０】
前記第１のスクロールバーによって前記アプリケーションウィンドウコンテンツ全体を制御することをさらに含む、請求項１６に記載の方法。
【請求項２１】
前記第１のコンテンツは、１つ以上の段落、章、ページ、または節に、少なくとも部分的には基づいて定められる、請求項１６に記載の方法。
【請求項２２】
前記コンテンツはドキュメントである、請求項１に記載の装置。
【請求項２３】
前記アプリケーションウィンドウコンテンツの中でアクティブな部分をカーソルの位置が示す、請求項５に記載の装置。
【発明の詳細な説明】
【技術分野】
【０００１】
本発明は、特に小型装置の画面上におけるコンテンツのハンドリングおよびスクロールに関する。
【背景技術】
【０００２】
現在、高度ＰＣプログラムで作成されたドキュメントまたはファイルを携帯端末へ転送することが可能である。ＰＣ画面上においては、画面上に十分な量のデータを同時に表示することができるため、大きなドキュメントのハンドリングおよびそのドキュメントに含まれるデータのスクロールは比較的容易である。一方、携帯端末においては、画面のサイズは通常、装置全体のサイズが小型であることによって制限される。したがって、大きなドキュメントのハンドリングおよびそれらのコンテンツのスクロールは、携帯端末の画面上では困難な場合がある。
【０００３】
以下、ドキュメントという用語は、画面上で表示され、画面上でスクロールアップおよびスクロールダウンすることができるデータを含むあらゆる種類のファイルを指すために使用される。該当するドキュメントは、テキストドキュメント、ＷＷＷ（ワールドワイドウェブ）ページまたはその他何らかのファイルであってよい。
【０００４】
現在のアプリケーションにおいてドキュメントのコンテンツをスクロールするための最も一般的な手段は、画面またはアプリケーションウィンドウの両側に置かれた垂直スクロールバーである。スクロールは、一方が上方を向き一方が下方を向いた押しボタンを用いても実装することができる。該当するボタンを押すことにより、ドキュメントを例えば１行または１ページ（または特定の行数またはページ数分）、上または下へ移動させることができる。スクロールバーと押しボタンの組み合わせも可能である。
【０００５】
スクロールは、カーソル移動キーまたは矢印等、キーパッド内の一定のキーを用いても実現できる。
【０００６】
ドキュメントのコンテンツが全幅では画面またはウィンドウに収まらない場合、コンテンツは水平方向にスクロールされる場合がある。しかしながら、通常、水平方向のドキュメントの長さは大きくないため、水平方向のスクロールは通常、問題にはならない。したがって、水平スクロールにも同じ原理が当てはまるが、ここでは垂直スクロールについてのみ論じる。
【０００７】
図１Ａおよび１Ｂは、上向き矢印１０１、下向き矢印１０２、およびエレベータ１０３を備える、従来のスクロールバー１００の例を示す。上向き矢印１０１をシングルクリックすると、ドキュメントは１行（または一定数行）上へ移動し、下向き矢印１０２をシングルクリックすると、ドキュメントは１行（または一定数行）下へ移動する。スクロールバー内の空きスペース、エレベータの上または下をシングルクリックすると、ドキュメントは１画面（または特定の画面数分）、上または下へ移動する。
【０００８】
スクロールバー内でエレベータ１０３、１０３'を上または下へスライドすることにより、ビューは文書内のいかなる場所へも移動する。エレベータ１０３、１０３'のサイズは、ドキュメントの長さと相対的である。スクロールバー内のエレベータが極めて小さい場合、ドキュメントには多くのコンテンツがある。この種の状況を、図１Ｂ（エレベータ１０３'）に示す。エレベータが大きい場合、ドキュメントには少量のコンテンツしかない。この種の状況を、図１Ａ（エレベータ１０３）に示す。したがって、ドキュメントが長い場合は、エレベータの移動が比較的小さくても比較的大量のデータがスクロールアップまたはスクロールダウンされる。
【０００９】
スクロールバーを備える多数のウィンドウが互いに埋め込まれることが可能である。例えば、ＷＷＷページは、ユーザがタイプできる入力ボックスを含む場合がある。すなわち、ＷＷＷブラウザアプリケーションウィンドウ内に、埋め込まれたデータウィンドウがある。この種の入力ボックスは非常に長い場合があるので、固有のスクロールバーを有する。入力ボックスを含むページも非常に長くてスクロールバーを必要とする場合には、１ビュー内に結局２つのスクロールバーが存在する。図２はこの種の状況を示しており、ブラウザウィンドウ２００は、ブラウザウィンドウのコンテンツをスクロールするためのスクロールバー２０１を備える。ブラウザウィンドウのコンテンツは、テキスト２０３および入力ボックス２０４を備える。
【００１０】
携帯端末、または比較的小さい画面を有するその他何らかの装置において、画面、ひいてはスクロールバーも、通常はドキュメントの長さと比較して小さく、そのためエレベータの移動が小さくても比較的多量のデータがスクロールアップまたはスクロールダウンされるため、上述したスクロールバーの使用は困難な場合がある。これが、ユーザが実際に所望したよりも誤ってドキュメントがスクロールされすぎること、および／または大きなドキュメントにおいて適切な点を見つけることが遅く厄介であることの原因となる場合がある。
【００１１】
よって、特に比較的小さな画面を有する装置でのドキュメントハンドリングおよびスクロールを改良する必要がある。
【発明の概要】
【００１２】
本発明の目的は、画面上においてコンテンツをスクロールするための新たなソリューションを提供することである。
【００１３】
本発明の概念は、ソフトウェアアプリケーションの一部として、各スクロールバーが、処理されるコンテンツの異なる部分に関係するように配置された複数のスクロールバーを有することである。例えば、１つのスクロールバーがドキュメント全体をカバーし、一方別のスクロールバーがドキュメントの一部（例えば、１つの特定の段落、章、ページ、もしくは節、または現在アクティブ／可視である段落、章、ページ、もしくは節）のみをカバーしてもよく、あるいは、１つのスクロールバーがコンテンツの先頭をカバーし、一方別のスクロールバーがコンテンツの末尾をカバーしてもよい。もう１つの代替としては、１つのスクロールバーが現在可視であるドキュメントをカバーし、別のスクロールバーが他の利用可能なドキュメントのリストをスクロールする可能性を提供する、ということがある。
【００１４】
すなわち、アプリケーションウィンドウに示されるコンテンツに埋め込まれた追加のスクロールバーを有することが可能である先行技術と比べ、ソフトウェアアプリケーション自体が、（埋め込まれたスクロールバーをコンテンツが備えるか否かを問わず）アプリケーションウィンドウに示されるコンテンツを処理するための２つ以上のスクロールバーを提供する。
【００１５】
したがって、本発明の第１の側面によると、コンテンツを処理するための装置であって、メモリと、前記メモリに格納されたソフトウェアに従って前記装置の動作を制御する処理装置と、コンテンツを表示するための画面とを備え、
前記メモリは、アプリケーションウィンドウ内の前記画面上でコンテンツをスクロールするように構成されたソフトウェアアプリケーションを備え、前記ソフトウェアアプリケーションは、
１つのアプリケーションウィンドウにおいて少なくとも２つの論理的に区別しうるスクロールバーを備え、前記スクロールバーのそれぞれは前記コンテンツの同じ方向に関してスクロール機能を提供し、前記論理的に区別しうるスクロールバーのそれぞれは前記コンテンツの異なる部分を制御する、装置が提供される。
【００１６】
本発明の第２の側面によると、アプリケーションウィンドウ内の画面上でコンテンツをスクロールするように構成されたソフトウェアアプリケーションであって、前記ソフトウェアアプリケーションは、
１つのアプリケーションウィンドウにおいて少なくとも２つの論理的に区別しうるスクロールバーを備え、前記スクロールバーのそれぞれは前記コンテンツの同じ方向に関してスクロール機能を提供し、前記論理的に区別しうるスクロールバーのそれぞれは前記コンテンツの異なる部分を制御する、ソフトウェアアプリケーションが提供される。
【００１７】
本発明の第３の側面によると、アプリケーションウィンドウ内の画面上でコンテンツをスクロールするように構成されたソフトウェアアプリケーションで使用するための方法であって、
１つのアプリケーションウィンドウにおいて少なくとも２つの論理的に区別しうるスクロールバーを提供するステップであって、前記スクロールバーのそれぞれは前記コンテンツの同じ方向に関してスクロール機能を提供し、前記論理的に区別しうるスクロールバーのそれぞれは前記コンテンツの異なる部分を制御するステップ、
を含む方法が提供される。
【００１８】
１つの実用的な実装形態においては、２つの平行なスクロールバーがある。しかしながら、２つを超えるスクロールバーが使用されてもよい。さらに、２つ以上の論理的に区別しうるスクロールバーを１つの物理的スクロールバーに埋め込むことが可能である。
【００１９】
従属クレームは、本発明の実施形態を含む。本発明の特定の側面に関する従属クレームに含まれる対象は、本発明の他の側面にも適用できる。
【００２０】
本発明の実施形態によるスクロールバーによって提供されるスクロールを用いて、長いドキュメントをスクロールすること、および、その中でより正確に特定の点を見つけることが容易になる。それにより、ユーザの使用感を向上することができる。このソリューションは、特に画面のサイズが制限されている装置に適合するが、他の装置において使用されてもよい。
【発明を実施するための形態】
【００２１】
例として添付の図面を参照し、本発明の実施形態を説明する。
【００２２】
図３は、本発明の実施形態による、アプリケーションウィンドウ３００内のドキュメントビューを図示している。このアプリケーションウィンドウは、ウィンドウ右手側に平行なスクロールバー３０１および３０２を備える。双方のスクロールバーは、コンテンツ３０３のスクロールを制御する。ここでは、スクロールバー３０１はドキュメント全体を制御し、スクロールバー３０２はドキュメントの１章を制御する。スクロールバー３０１のエレベータのサイズおよび位置から、現在可視である部分の下および上にさらにコンテンツがあることがわかる。同様に、スクロールバー３０２のエレベータのサイズおよび位置から、カーソル３０４は現在、スクロールバー３０２が制御している章の終わりにあることがわかる。
【００２３】
本発明の一代替において、スクロールバー３０２はドキュメントの現在アクティブである章（または、ドキュメントのその他何らかの適合する部分）を制御することができる。すなわち、カーソル３０４が１行下の第ＩＩ章へ移動すると、スクロールバー３０２は第ＩＩ章のコンテンツの制御を開始する。スクロールバー３０２が、ドキュメントの現在可視である部分を制御するように構成されることも可能である。章の代替として、スクロールバー３０２が制御するドキュメントの部分は、例えば段落、ページ、または節であってもよい。さらに別の代替は、「追加」スクロールバー３０２がドキュメントのいずれの部分を制御するかを定義する可能性をユーザに提供することである。例えば、ユーザがドキュメントの一定部分を編集している場合、当該ユーザは、スクロールバー３０２が当該一定部分を制御し、一方スクロールバー３０１がドキュメント全体において正常に動作するよう設定することができる。
【００２４】
当業者には、本発明は、表示されているコンテンツが全幅では画面に収まらない場合のみ、スクロールバー３０１および３０２がユーザに可視となるように実装され得ることが明らかである。（コンテンツ全体が１つの画面に収まる場合は、当然ながらコンテンツをスクロールアップまたはダウンする必要はない。）
【００２５】
例えば図３における本発明の論理的に区別しうるスクロールバーと図２に示すスクロールバーとの間の相違は、図２においてはスクロールバー２０５がアプリケーションウィンドウのスクロールバー２０１でスクロールされるコンテンツの一部であることである。すなわち、スクロールバー２０５は、コンテンツを示すソフトウェアアプリケーションの一部としてではなく、示されるコンテンツの一部として提供されるものである。その結果、入力ボックス２０４を備えるコンテンツの部分が可視である場合のみ、スクロールバー２０５は可視となる。一方、図３においては、双方のスクロールバーはソフトウェアアプリケーションの不可欠な部分である。さらに、いくつかの実装において、スクロールバー３０２が制御するドキュメントの部分は動的に変化する場合がある。
【００２６】
図４は、本発明の別の実施形態による、アプリケーションウィンドウ４００内のドキュメントビューを図示している。この例は、本発明と図２に示す状況との間の相違をさらに説明するものである。
【００２７】
図３と同様に、アプリケーションウィンドウ４００は、ウィンドウの右手側に２つの平行なスクロールバー３０１および３０２を備える。ここで、２つのスクロールバー３０１および３０２を用いてスクロールされるコンテンツは、テキスト４０３および入力ボックス４０４を備える。入力ボックス４０４は固有のスクロールバーを備えるが、このスクロールバーは入力ボックス４０４が可視である場合のみアプリケーションウィンドウ内で可視となる。さらに、入力ボックス４０４のスクロールバーは、コンテンツが表示されているアプリケーションの一部ではない。
【００２８】
図５は、本発明のさらに別の実施形態による、アプリケーションウィンドウ５００内のドキュメントビューを図示している。図３および４と同様に、アプリケーションウィンドウ５００は、ウィンドウの右手側に２つの平行なスクロールバー５０１および５０２を備える。
【００２９】
ここで、スクロールバー５０１は現在可視であるドキュメントを制御し、スクロールバー５０２は他の利用可能なドキュメントのリストをスクロールするために使用されることができる。すなわち、本明細書においては、スクロールされるコンテンツは複数のドキュメントを備えると考える。リストに記載されているドキュメントは、例えば、現在開いているアプリケーションウィンドウ、ＷＷＷページへのリンクの選択、特定のＷＷＷページのサブページ、特定のフォルダに含有されるドキュメント、またはその他何らかのドキュメントのセットであってよい。
【００３０】
図３〜５のそれぞれは、２つの別個のスクロールバーを示す。当然ながら、２つを超えるスクロールバーがあってもよい。あるいは、２つ（以上）の論理的に区別しうるスクロールバーの機能性が、１つの物理的スクロールバーに埋め込まれてもよい。その場合、ユーザには１つのスクロールバーのみが見えているが、このスクロールバーの動作モードは、１つのモードにおいてスクロールバーが１つの論理的に区別しうるスクロールバーの機能性を提供し、別のモードが別の論理的に区別しうるスクロールバーの機能性を提供するように修正することができる。ユーザの特定のアクションは、スクロールバーの動作モードを変更する。例えば、スクロールバーの動作モードは、アプリケーションウィンドウ内に示されるある特定のボタンを押すこと、キーパッド上のある特定のボタンを押下すること、マウスでクリックすること、または、マウスでクリックしたままホールドすることによって変更できる。
【００３１】
図６は、２つの論理的に区別しうるスクロールバーを１つの物理的スクロールバーに埋め込む別の例を示すアプリケーションウィンドウ６００内のドキュメントビューを図示している。ここで、アプリケーションウィンドウ６００はウィンドウの右手側に１つのスクロールバー６０１のみを備える。スクロールバー６０１は、２つの論理的に区別しうるスクロールバーに対応する２つの別個のエレベータ６０２および６０３を備える。エレベータのそれぞれは、異なる種類のスクロール機能を提供する。
【００３２】
論理的に区別しうるスクロールバーの識別を容易にするため、例えば、異なるエレベータごとに（または、先の例における異なるスクロールバーごとに）異なる色を使用することが可能である。あるいは、論理的に区別しうるスクロールバーの識別は、大きなエレベータを有するスクロールバーはコンテンツの小さな部分を制御し、小さなエレベータを有するスクロールバーはコンテンツの大きな部分を制御することに基づくものであってもよい。
【００３３】
１つを超える論理的に区別しうるスクロールバーの、１つの物理的スクロールバーへの埋め込み機能は、アプリケーションウィンドウ内のスペースを節約する。
【００３４】
また、システムは、論理的に区別しうるスクロールバーのうちの１つを起動する可能性をユーザに提供するように構成されてよく、その後現在アクティブである論理的に区別しうるスクロールバーに従ってスクロールを実現するために、カーソル移動キーまたは矢印キー等、キーパッドの一定キーを使用することができる。現在アクティブであるスクロールバーを、例えば、いずれのスクロールバーが現在アクティブであるかをユーザが容易に識別できるように、一定色でハイライトしてよい。
【００３５】
当業者には、本発明によるスクロールバーの外観は、図３〜６において提示されるものと異なる場合があることが明らかである。スクロールバーの位置付けおよび個別のスクロールバーの動作も、本発明の異なる実装においては変化する場合がある。さらに、異なるスクロールバー配置の組み合わせを実装することができる。
【００３６】
図７は、本発明の実施形態による装置７００を図示している。該当する装置は、例えば、携帯端末、ハンドヘルドコンピュータ、スマートフォン、ラップトップコンピュータ、デスクトップコンピュータ、またはその他何らかの適合する装置であってよい。
【００３７】
装置７００は、処理装置７０１と、処理装置７０１に連結された入力／出力モジュール７０３とを備える。処理装置７０１は、メモリ７０２および画面７０５にも連結される。メモリは、処理装置７０１において実行可能なソフトウェアアプリケーション７０６を備える。
【００３８】
処理装置は、ソフトウェアアプリケーション７０６に従って、装置７００のユーザにコンテンツを示すための画面７０５にアプリケーションウィンドウを示すように装置を制御する。ソフトウェアアプリケーション７０６に従って、アプリケーションウィンドウは少なくとも２つの論理的に区別しうるスクロールバーを備え、スクロールバーのそれぞれは前記コンテンツの同じ方向に関してスクロール機能を提供し、論理的に区別しうるスクロールバーのそれぞれはコンテンツの異なる部分を制御する。
【００３９】
本発明の特定の実装および実施形態について説明した。当業者には、本発明は上記に提示した実施形態の詳細に制限されるものではなく、同等の手段を使用する他の実施形態において本発明の特徴を逸脱することなく実装できることが明らかである。本発明の範囲は、添付の特許請求の範囲によってのみ制限される。
【図面の簡単な説明】
【００４０】
【図１】図１Ａは従来のスクロールバーの一つの例を示し、図１Ｂは従来のスクロールバーの別の例を示す。
【図２】従来のアプリケーションウィンドウ内のドキュメントビューを図示している。
【図３】本発明の実施形態による、アプリケーションウィンドウ内のドキュメントビューを図示している。
【図４】本発明の別の実施形態による、アプリケーションウィンドウ内のドキュメントビューを図示している。
【図５】本発明のさらに別の実施形態による、アプリケーションウィンドウ内のドキュメントビューを図示している。
【図６】２つの論理的に区別しうるスクロールバーを１つの物理的スクロールバーに埋め込む例を示すアプリケーションウィンドウ内のドキュメントビューを図示している。
【図７】本発明の実施形態による装置を図示している。
【図１】
2010231810.tif 000003
【図２】
2010231810.tif 000004
【図３】
2010231810.tif 000005
【図４】
2010231810.tif 000006
【図５】
2010231810.tif 000007
【図６】
2010231810.tif 000008
【図７】
2010231810.tif 000009